(57)【要約】【課題】ソースドライバ毎に出力数が異なる場合でも対応可能であり、且つ、データ信号の極性の規則性の乱れを解消する液晶表示装置を提供すること。【解決手段】本発明の液晶表示装置では、ソースドライバは、第２の水平ｎドット反転駆動（ＤＯＴＣ“Ｈ”、ＯＳＥＬ“Ｈ”）を実行したときに、極性信号ＰＯＬの極性を反転させて、次のソースドライバに転送することにより、第１、２領域の境界部分において、第２の水平ｎドット反転駆動により第１領域の最後のデータ線に供給されるデータ信号の極性“＋”又は“−”と、水平１ドット反転駆動（ＤＯＴＣ“Ｌ”、ＯＳＥＬ“Ｌ”）、第１、２の水平ｎドット反転駆動（ＤＯＴＣ“Ｈ”、ＯＳＥＬ“Ｌ”又は“Ｈ”）により第２領域の最初のデータ線に供給されるデータ信号の極性“＋”又は“−”とが同じになる。このため、データ信号の極性の規則性の乱れを解消することができる。【選択図】図３
2011209461.tif 000002
【特許請求の範囲】
【請求項１】
水平１ドット反転駆動と、出力数がデータ信号の極性の規則性を乱さない第１の水平ｎドット反転駆動（ｎは２以上の整数）と、出力数がデータ信号の極性の規則性を乱す第２の水平ｎドット反転駆動とのいずれかを指定するモード切替信号が予め与えられる複数のソースドライバと、
前記複数のソースドライバと同数の領域に分割された表示パネルと
を具備し、
前記複数のソースドライバの各々は、
前記モード切替信号が前記水平１ドット反転駆動、前記第１、２の水平ｎドット反転駆動のいずれかを指定している場合、極性信号が指定する前記水平１ドット反転駆動、前記第１、２の水平ｎドット反転駆動のいずれかにおける極性パタンによりデータ信号を前記領域の複数のデータ線に供給するドライバ部と、
前記モード切替信号が前記水平１ドット反転駆動又は前記第１の水平ｎドット反転駆動を指定している場合、前記極性信号を次のソースドライバに供給し、前記モード切替信号が前記第２の水平ｎドット反転駆動を指定している場合、前記極性信号の極性を反転させて前記次のソースドライバに供給する信号転送部と
を備える液晶表示装置。
【請求項２】
前記複数のソースドライバの各々は、
シフト開始信号に応じて、前記領域の複数の画素の階調データを取り込み、複数の階調電圧の中から、前記階調データに対応する出力階調電圧を自己が出力するデータ信号として決定する信号制御部
を更に備える請求項１に記載の液晶表示装置。
【請求項３】
前記複数のソースドライバの各々の信号制御部は、前記シフト開始信号に応じて、前記階調データを取り込み、前記複数の階調電圧の中から、前記階調データに対応する出力階調電圧を自己が出力するデータ信号として決定し、
前記複数のソースドライバの各々の信号転送部は、前記モード切替信号が前記水平１ドット反転駆動又は前記第１の水平ｎドット反転駆動を指定している場合、前記シフト開始信号と前記極性信号とを前記次のソースドライバに供給し、前記モード切替信号が前記第２の水平ｎドット反転駆動を指定している場合、前記極性信号の極性を反転させて、前記シフト開始信号と前記極性信号とを前記次のソースドライバに供給する
請求項２に記載の液晶表示装置。
【請求項４】
前記階調データを前記複数のソースドライバに供給するコントローラ
を更に具備し、
前記コントローラは、前記シフト開始信号と、その極性により前記水平１ドット反転駆動、前記第１、２の水平ｎドット反転駆動におけるデータ信号の極性パタンを１ライン毎に指定する前記極性信号とを前記複数のソースドライバのうちの第１ソースドライバに供給し、
前記第１ソースドライバの信号制御部は、前記コントローラからの前記シフト開始信号に応じて、前記コントローラからの前記階調データを第１階調データとして取り込み、複数の階調電圧の中から、前記第１階調データに対応する出力階調電圧を自己が出力するデータ信号として決定し、
前記第１ソースドライバのドライバ部は、前記モード切替信号が前記水平１ドット反転駆動、前記第１、２の水平ｎドット反転駆動のいずれかを指定している場合、前記コントローラからの前記極性信号が指定する前記水平１ドット反転駆動、前記第１、２の水平ｎドット反転駆動のいずれかにおける極性パタンによりデータ信号を複数の前記領域のうちの第１領域の複数のデータ線に供給し、
前記第１ソースドライバの信号転送部は、前記モード切替信号が前記水平１ドット反転駆動又は前記第１の水平ｎドット反転駆動を指定している場合、前記シフト開始信号と前記極性信号とを前記複数のソースドライバのうちの前記第１ソースドライバに隣接する第２ソースドライバに供給し、前記モード切替信号が前記第２の水平ｎドット反転駆動を指定している場合、前記極性信号の極性を反転させて、前記シフト開始信号と前記極性信号とを前記第２ソースドライバに供給する
請求項３に記載の液晶表示装置。
【請求項５】
前記第２ソースドライバの信号制御部は、前記第１ソースドライバからの前記シフト開始信号に応じて、前記コントローラからの前記階調データを第２階調データとして取り込み、前記複数の階調電圧の中から、前記第２階調データに対応する出力階調電圧を自己が出力するデータ信号として決定し、
前記モード切替信号が前記水平１ドット反転駆動又は前記第１の水平ｎドット反転駆動を指定している場合、
前記第２ソースドライバのドライバ部は、前記第１ソースドライバからの前記極性信号が指定する前記水平１ドット反転駆動における極性パタン又は前記第１の水平ｎドット反転駆動における極性パタンによりデータ信号を前記複数の領域のうちの前記第１領域に隣接する第２領域の複数のデータ線に供給し、
前記第２ソースドライバの信号転送部は、前記シフト開始信号と前記極性信号とを前記複数のソースドライバのうちの前記第１ソースドライバと反対の側で前記第２ソースドライバに隣接する第３ソースドライバに供給し、
前記モード切替信号が前記第２の水平ｎドット反転駆動を指定している場合、
前記第２ソースドライバのドライバ部は、前記第１ソースドライバからの前記極性信号が指定する前記第２の水平ｎドット反転駆動における極性パタンによりデータ信号を前記第２領域の複数のデータ線に供給し、
前記第２ソースドライバの信号転送部は、前記極性信号の極性を反転させて、前記シフト開始信号と前記極性信号とを前記第３ソースドライバに供給する
請求項４に記載の液晶表示装置。
【請求項６】
前記モード切替信号は、
駆動方式が水平１ドット反転駆動又は水平ｎドット反転駆動を表す反転モード切替信号と、
前記水平ｎドット反転駆動において、出力数がデータ信号の極性の規則性を乱す数であるか否かを表す出力数モード切替信号と
を含む請求項１〜５のいずれかに記載の液晶表示装置。
【請求項７】
ｎが２である場合、
前記第１の水平ｎドット反転駆動における出力数は、データ信号の極性の規則性を乱さない数として、１２で割り切れる数であり、
前記第２の水平ｎドット反転駆動における出力数は、データ信号の極性の規則性を乱す数として、１２で割り切れず、６で割り切れる数である
請求項１〜６のいずれかに記載の液晶表示装置。
【請求項８】
請求項１〜７のいずれかに記載の液晶表示装置に適用されるソースドライバ。
【請求項９】
水平１ドット反転駆動と、出力数がデータ信号の極性の規則性を乱さない第１の水平ｎドット反転駆動（ｎは２以上の整数）と、出力数がデータ信号の極性の規則性を乱す第２の水平ｎドット反転駆動とのいずれかを指定するモード切替信号を複数のソースドライバに予め与える工程と、ここで、表示パネルは、前記複数のソースドライバと同数の領域に分割され、
前記複数のソースドライバの各々が、前記モード切替信号が前記水平１ドット反転駆動、前記第１、２の水平ｎドット反転駆動のいずれかを指定している場合、極性信号が指定する前記水平１ドット反転駆動、前記第１、２の水平ｎドット反転駆動のいずれかにおける極性パタンによりデータ信号を前記領域の複数のデータ線に供給する工程と、
前記複数のソースドライバの各々が、前記モード切替信号が前記水平１ドット反転駆動又は前記第１の水平ｎドット反転駆動を指定している場合、前記極性信号を次のソースドライバに供給する工程と、
前記複数のソースドライバの各々が、前記モード切替信号が前記第２の水平ｎドット反転駆動を指定している場合、前記極性信号の極性を反転させて前記次のソースドライバに供給する工程と、
を具備するソースドライバの動作方法。
【発明の詳細な説明】
【技術分野】
【０００１】
本発明は、交流駆動によって表示パネルを駆動する液晶表示装置に関する。
【背景技術】
【０００２】
表示パネルの画素を直流電圧で駆動した場合、画素の液晶層の寿命が短くなることが知られている。この現象を焼き付き現象という。この焼き付き現象を防止するために広く使用される技術が、交流駆動（又は反転駆動）である。反転駆動とは、定期的に、画素に供給されるデータ信号の極性を１ライン毎又はｍライン毎（ｍは２以上の整数）に反転する駆動方法である。
【０００３】
この反転駆動として、ある画素に対して隣接する画素に反対極性のデータ信号を供給するドット反転駆動法が知られている。ドット反転駆動法として、水平１ドット反転駆動と、水平ｎドット反転駆動とが挙げられる。
【０００４】
水平１ドット反転駆動では、１ラインにおいて１画素毎にデータ信号の極性を反転する駆動方式であるため、フリッカを発生させる場合がある。一方、水平ｎドット反転駆動では、１ラインにおいてｎ画素毎（ｎは２以上の整数）にデータ信号の極性を反転する駆動方式であるため、フリッカの発生が抑制される。
【０００５】
しかし、水平ｎドット反転駆動では、複数のソースドライバにより表示パネルを駆動する場合、隣接するソースドライバによって駆動される領域の境界部分において、画像にムラが見られる場合がある。この画像のムラは、境界部分におけるデータ信号の極性の規則性の乱れに起因する。この規則性の乱れは、ソースドライバの出力数、即ち、データ信号の数によって決まる。
【０００６】
出力数がデータ信号の極性の規則性を乱さない水平ｎドット反転駆動（以下、第１の水平ｎドット反転駆動と称する）では、例えば、ｎが２であり、データ信号の極性パタンが“＋、−、−、＋、＋、…、−、−、＋”である場合、表示パネルの第１領域と第２領域との境界部分において、第１領域の最後のデータ線に供給されるデータ信号の極性“＋”と、第２領域の最初のデータ線に供給されるデータ信号の極性“＋”とが同じになるため、データ信号の極性の規則性を乱さない。
【０００７】
出力数がデータ信号の極性の規則性を乱す水平ｎドット反転駆動（以下、第２の水平ｎドット反転駆動と称する）では、例えば、ｎが２であり、データ信号の極性パタンが“＋、−、−、＋、＋、…、＋、＋、−”である場合、表示パネルの第１領域と第２領域との境界部分において、境界部分において、第１領域の最後のデータ線に供給されるデータ信号の極性“−”と、第２領域の最初のデータ線に供給されるデータ信号の極性“＋”とが異なるため、データ信号の極性の規則性を乱してしまう。
【０００８】
このため、第２の水平ｎドット反転駆動を実行した場合でも、データ信号の極性の規則性の乱れを解消することが望まれる。
【０００９】
これを解決した液晶表示装置が特開２００６−４７８７８号公報に記載されている。この液晶表示装置は、カスケード接続された複数のソースドライバと、複数のソースドライバと同数の領域に分割された表示パネルと、コントローラとを具備している。
【００１０】
ここで、第２の水平ｎドット反転駆動において、複数のソースドライバの出力数は、データ信号の極性の規則性を乱す数として、４で割り切れない数である。以下、ｎを２とする。
【００１１】
コントローラは、複数の領域の各々の複数の画素の階調レベルを指定する階調データと、複数のソースドライバを同期させるためのクロック信号と、その極性により第２の水平２ドット反転駆動におけるデータ信号の極性パタン“＋、−、−、＋、＋、…、＋、＋、−”又は“−、＋、＋、−、−、…、−、−、＋”を１ライン毎に指定する極性信号とを複数のソースドライバに供給する。
【００１２】
コントローラは、第１制御信号（シフト開始パルスのパルス幅がクロック信号の２周期との一方の周期）を含むシフト開始信号を複数のソースドライバのうちの第１ソースドライバに供給する。
【００１３】
第１ソースドライバは、コントローラからのシフト開始信号に応じて、コントローラからの階調データを取り込み、複数の階調電圧の中から、階調データに対応する出力階調電圧を自己が出力するデータ信号として決定する。
【００１４】
次に、第１ソースドライバは、コントローラからのシフト開始信号に含まれる第１制御信号に応じて、コントローラからの極性信号が指定する第２の水平２ドット反転駆動における極性パタン“＋、−、−、＋、＋、…、＋、＋、−”又は“−、＋、＋、−、−、…、−、−、＋”によりデータ信号を複数の領域のうちの第１領域の複数のデータ線に供給する。
【００１５】
このとき、第１ソースドライバは、第２制御情報（シフト開始パルスのパルス幅がクロック信号の１周期と２周期との他方の周期）を含むシフト開始信号を複数のソースドライバのうちの第１ソースドライバに隣接する第２ソースドライバに供給する。
【００１６】
第２ソースドライバは、第１ソースドライバからのシフト開始信号に応じて、コントローラからの階調データを取り込み、複数の階調電圧の中から、階調データに対応する出力階調電圧を自己が出力するデータ信号として決定する。
【００１７】
次に、第２ソースドライバは、第１ソースドライバからのシフト開始信号に含まれる第２制御信号に応じて、コントローラからの極性信号が指定する第２の水平２ドット反転駆動における極性パタン“＋、−、−、＋、＋、…、＋、＋、−”又は“−、＋、＋、−、−、…、−、−、＋”を反転した極性パタン“−、＋、＋、−、−、…、−、−、＋”又は“＋、−、−、＋、＋、…、＋、＋、−”によりデータ信号を複数の領域のうちの第１領域に隣接する第２領域の複数のデータ線に供給する。
【００１８】
このとき、第２ソースドライバは、第１制御情報を含むシフト開始信号を複数のソースドライバのうちの第１ソースドライバと反対の側で第２ソースドライバに隣接する第３ソースドライバに供給する。
【００１９】
即ち、奇数番目のソースドライバは、シフト開始信号ＳＴＨに含まれる第１制御信号に応じて、第２の水平２ドット反転駆動における極性パタン“＋、−、−、＋、＋、…、＋、＋、−”又は“−、＋、＋、−、−、…、−、−、＋”によりデータ信号を第１領域に供給し、第１制御信号に代えて第２制御信号を含むシフト開始信号ＳＴＨを第１ソースドライバの次の第２ソースドライバに供給する。偶数番目のソースドライバは、シフト開始信号ＳＴＨに含まれる第２制御信号に応じて、第２の水平２ドット反転駆動における極性パタン“＋、−、−、＋、＋、…、＋、＋、−”又は“−、＋、＋、−、−、…、−、−、＋”を反転した極性パタン“−、＋、＋、−、−、…、−、−、＋”又は“＋、−、−、＋、＋、…、＋、＋、−”によりデータ信号を第２領域に供給する。
【００２０】
このように、特開２００６−４７８７８号公報に記載された技術では、第２の水平２ドット反転駆動において、奇数番目のソースドライバが、極性信号ＰＯＬの極性を反転させるための第２制御信号をシフト開始信号ＳＴＨに含めて、次のソースドライバに転送し、偶数番目のソースドライバが、極性信号ＰＯＬの極性を反転させない第１制御信号をシフト開始信号ＳＴＨに含めて、次のソースドライバに転送する。これにより、境界部分において、奇数番目の領域の最後のデータ線に供給されるデータ信号の極性“＋”又は“−”と、偶数番目の領域の最初のデータ線に供給されるデータ信号の極性“＋”又は“−”とが同じになる。このため、データ信号の極性の規則性の乱れを解消することができる。更に、第１又は２制御信号はシフト開始信号ＳＴＨに含まれるため、コントローラから第１又は２制御信号を転送する場合に比べて信号線を削減できる。
【先行技術文献】
【特許文献】
【００２１】
【特許文献１】特開２００６−４７８７８号公報
【発明の概要】
【発明が解決しようとする課題】
【００２２】
液晶表示装置にソースドライバを実装する上で、例えば実装面積の制約やその他の制約により、ソースドライバ毎に出力数が異なる場合も考えられる。このような場合でも対応可能であり、且つ、データ信号の極性の規則性の乱れを解消することが望まれる。
【課題を解決するための手段】
【００２３】
以下に、発明を実施するための形態で使用される符号を括弧付きで用いて、課題を解決するための手段を記載する。この符号は、特許請求の範囲の記載と発明を実施するための形態の記載との対応を明らかにするために付加されたものであり、特許請求の範囲に記載されている発明の技術的範囲の解釈に用いてはならない。
【００２４】
本発明の液晶表示装置は、複数のソースドライバ（３−１、３−２、３−３、…、３−Ｎ）（Ｎは２以上の整数）と、表示パネル（１０）とを具備している。表示パネル（１０）は、複数のソースドライバ（３−１、３−２、３−３、…、３−Ｎ）と同数の領域（４−１、４−２、４−３、…、４−Ｎ）に分割されている。複数のソースドライバ（３−１、３−２、３−３、…、３−Ｎ）には、モード切替信号（ＤＯＴＣ、ＯＳＥＬ）が予め与えられている。モード切替信号（ＤＯＴＣ、ＯＳＥＬ）は、水平１ドット反転駆動と、出力数がデータ信号の極性の規則性を乱さない第１の水平ｎドット反転駆動（ｎは２以上の整数）と、出力数がデータ信号の極性の規則性を乱す第２の水平ｎドット反転駆動とのいずれかを指定する。複数のソースドライバ（３−１、３−２、３−３、…、３−Ｎ）の各々は、ドライバ部（３７）と、信号転送部（３８）とを備えている。ドライバ部（３７）は、モード切替信号（ＤＯＴＣ、ＯＳＥＬ）が水平１ドット反転駆動（“Ｌ、Ｌ”）、第１、２の水平ｎドット反転駆動（“Ｈ、Ｌ”）（“Ｈ、Ｈ”）のいずれかを指定している場合、極性信号（ＰＯＬ）（“Ｌ”又は“Ｈ”）が指定する水平１ドット反転駆動、第１、２の水平ｎドット反転駆動のいずれかにおける極性パタン（“−、＋、−、＋、−、＋、−、＋、−、＋、−、＋”又は“＋、−、＋、−、＋、−、＋、−、＋、−、＋、−”）（“−、＋、＋、−、−、＋、＋、−、−、＋、＋、−”又は“＋、−、−、＋、＋、−、−、＋、＋、−、−、＋”）（“−、＋、＋、−、−、＋”又は“＋、−、−、＋、＋、−”）によりデータ信号を領域（４−１、４−２、４−３、…、４−Ｎ）の複数のデータ線に供給する。信号転送部（３８）は、モード切替信号（ＤＯＴＣ、ＯＳＥＬ）が水平１ドット反転駆動（“Ｌ、Ｌ”）又は第１の水平ｎドット反転駆動（“Ｈ、Ｌ”）を指定している場合、極性信号（ＰＯＬ）を次のソースドライバに供給し、モード切替信号（ＤＯＴＣ、ＯＳＥＬ）が第２の水平ｎドット反転駆動（“Ｈ、Ｈ”）を指定している場合、極性信号（ＰＯＬ）の極性を反転させて次のソースドライバに供給する。
【発明の効果】
【００２５】
以上により、本発明の液晶表示装置では、仕様により、水平１ドット反転駆動を表すモード切替信号（ＤＯＴＣ“Ｌ”、ＯＳＥＬ“Ｌ”）がソースドライバ（３−Ｊ）（Ｊは、１、２、…、（Ｎ−１））に与えられている場合、ソースドライバ（３−Ｊ）は、極性信号（ＰＯＬ）に応じて水平１ドット反転駆動を実行し、極性信号（ＰＯＬ）を次のソースドライバ（３−（Ｊ＋１））に供給する。仕様により、第１の水平ｎドット反転駆動を表すモード切替信号（ＤＯＴＣ“Ｈ”、ＯＳＥＬ“Ｌ”）がソースドライバ（３−Ｊ）に与えられている場合、ソースドライバ（３−Ｊ）は、極性信号（ＰＯＬ）に応じて第１の水平ｎドット反転駆動を実行し、極性信号（ＰＯＬ）を次のソースドライバ（３−（Ｊ＋１））に供給する。仕様により、第２の水平ｎドット反転駆動を表すモード切替信号（ＤＯＴＣ“Ｈ”、ＯＳＥＬ“Ｈ”）がソースドライバ（３−Ｊ）に与えられている場合、ソースドライバ（３−Ｊ）は、極性信号（ＰＯＬ）に応じて第２の水平ｎドット反転駆動を実行し、極性信号（ＰＯＬ）の極性を反転させて、極性信号（ＰＯＬ）を次のソースドライバ（３−（Ｊ＋１））に供給する。
【００２６】
このように、本発明の液晶表示装置では、第１の効果として、仕様に応じて、複数のソースドライバ（３−１、３−２、３−３、…、３−Ｎ）の各々に対して、モード切替信号（ＤＯＴＣ、ＯＳＥＬ）を与えておくことにより、水平１ドット反転駆動、第１、２の水平ｎドット反転駆動のいずれかを実行可能である。
【００２７】
また、本発明の液晶表示装置では、ソースドライバ（３−Ｊ）は、第２の水平ｎドット反転駆動を実行する場合、極性信号ＰＯＬ（“Ｌ”又は“Ｈ”）が指定する極性パタン（ｎが２である場合、“−、＋、＋、−、−、＋”又は“＋、−、−、＋、＋、−”）によりデータ信号を領域（４−Ｊ）に供給し、極性信号（ＰＯＬ）の極性を反転させて、極性信号（ＰＯＬ）を次のソースドライバ（３−（Ｊ＋１））に供給する。ここで、ソースドライバ（３−（Ｊ＋１））は、水平１ドット反転駆動を実行する場合、極性信号ＰＯＬ（“Ｈ”又は“Ｌ”）が指定する極性パタン（“＋、−、＋、−、＋、−、＋、−、＋、−、＋、−”又は“−、＋、−、＋、−、＋、−、＋、−、＋、−、＋”）によりデータ信号を領域（４−（Ｊ＋１））に供給し、極性信号（ＰＯＬ）を次のソースドライバに供給する。ソースドライバ（３−（Ｊ＋１））は、第１の水平ｎドット反転駆動を実行する場合、極性信号ＰＯＬ（“Ｈ”又は“Ｌ”）が指定する極性パタン（ｎが２である場合、“＋、−、＋、−、＋、−、＋、−、＋、−、＋、−”又は“−、＋、−、＋、−、＋、−、＋、−、＋、−、＋”）によりデータ信号を領域（４−（Ｊ＋１））に供給し、極性信号（ＰＯＬ）を次のソースドライバに供給する。ソースドライバ（３−（Ｊ＋１））は、第２の水平ｎドット反転駆動を実行する場合、極性信号ＰＯＬ（“Ｈ”又は“Ｌ”）が指定する極性パタン（ｎが２である場合、“＋、−、−、＋、＋、−”又は“−、＋、＋、−、−、＋”）によりデータ信号を領域（４−（Ｊ＋１））に供給し、極性信号（ＰＯＬ）の極性を反転させて、極性信号（ＰＯＬ）を次のソースドライバに供給する。
【００２８】
このように、本発明の液晶表示装置では、第２の効果として、ソースドライバ（３−Ｊ）は、第２の水平ｎドット反転駆動を実行したときに、極性信号（ＰＯＬ）の極性を反転させて、次のソースドライバ（３−（Ｊ＋１））に転送することにより、表示パネル（１０）の領域（４−Ｊ）と領域（４−（Ｊ＋１））との境界部分において、第２の水平ｎドット反転駆動により領域（４−Ｊ）の最後のデータ線に供給されるデータ信号の極性（“＋”又は“−”）と、水平１ドット反転駆動、第１、２の水平ｎドット反転駆動により領域（４−（Ｊ＋１））の最初のデータ線に供給されるデータ信号の極性（“＋”又は“−”）とが同じになる。このため、データ信号の極性の規則性の乱れを解消することができる。
【００２９】
また、本発明の液晶表示装置では、ソースドライバ（３−Ｊ）は、極性信号（ＰＯＬ）を次のソースドライバ（３−（Ｊ＋１））に転送することにより、コントローラ（１）から極性信号（ＰＯＬ）を転送する場合に比べて信号線を削減できる。
【００３０】
本発明の液晶表示装置では、第１、２の効果により、ソースドライバ（３−１、３−２、３−３、…、３−Ｎ）毎に出力数が異なる場合でも対応可能であり、且つ、データ信号の極性の規則性の乱れを解消することができる。
【図面の簡単な説明】
【００３１】
【図１】図１は、本発明の実施形態による液晶表示装置の構成を示している。
【図２】図２は、複数のソースドライバ３−１、３−２、３−３、…、３−Ｎの各々の構成を示している。
【図３】図３は、モード切替信号ＤＯＴＣ、ＯＳＥＬと、極性信号ＰＯＬと、水平１ドット反転駆動、第１、２の水平ｎドット反転駆動の極性レベルとの関係を示している。
【図４】図４は、出力数がデータ信号の極性の規則性を乱さない第１の水平２ドット反転駆動を説明するための図である。
【図５】図５は、出力数がデータ信号の極性の規則性を乱す第２の水平２ドット反転駆動を説明するための図である。
【図６】図６は、複数のソースドライバ３−１、３−２、３−３、…、３−Ｎの信号転送部３８が備える反転回路４０の構成を示している。
【図７】図７は、本発明の実施形態による液晶表示装置の動作の概念を示す図である。
【発明を実施するための形態】
【００３２】
以下に添付図面を参照して、本発明の実施形態による液晶表示装置について詳細に説明する。
【００３３】
図１は、本発明の実施形態による液晶表示装置の構成を示している。
【００３４】
本発明の実施形態による液晶表示装置は、ＬＣＤ（Ｌｉｑｕｉｄ  Ｃｒｙｓｔａｌ  Ｄｉｓｐｌａｙ）モジュールである表示パネル（液晶パネル）１０と、コントローラ１と、ゲートドライバ２と、カスケード接続された複数のソースドライバ３−１、３−２、３−３、…、３−Ｎとを具備している。
【００３５】
表示パネル１０は、複数のソースドライバ３−１、３−２、３−３、…、３−Ｎと同数の領域４−１、４−２、４−３、…、４−Ｎに分割されている。
【００３６】
複数の領域４−１、４−２、４−３、…、４−Ｎは、マトリクス状に配置された複数の画素１１と、複数のゲート線と、複数のデータ線とを具備している。複数の画素１１の各々は、薄膜トランジスタ（Ｔｈｉｎ  Ｆｉｌｍ  Ｔｒａｎｓｉｓｔｅｒ：ＴＦＴ）１２と、画素容量１５とを具備している。画素容量１５は、画素電極と、画素電極に対向する対向電極とを具備している。ＴＦＴ１２は、ドレイン電極１３と、画素電極に接続されたソース電極１４と、ゲート電極１６とを具備している。複数のゲート線は、それぞれ、行に設けられた画素１１のＴＦＴ１２のゲート電極１６に接続されている。複数のデータ線は、それぞれ、列に設けられた画素１１のＴＦＴ１２のドレイン電極１３に接続されている。
【００３７】
タイミングコントローラ２は、１水平期間において、垂直クロック信号ＶＣＫと、複数のゲート線を１番目から最終番目まで順番に選択するための垂直シフト開始信号ＳＴＶとをゲートドライバ２に出力する。例えば、ゲートドライバ２は、垂直シフト開始信号ＳＴＶと垂直クロック信号ＶＣＫとに応じて、複数のゲート線のうちの１つのゲート線を選択したものとする。この場合、選択信号を１つのゲート線に出力する。この選択信号は、上記１つのゲート線に対応する１走査ライン分の画素１１のＴＦＴ１２のゲート電極１６に供給され、ＴＦＴ１２は選択信号によりオンする。他のゲート線についても同じである。
【００３８】
タイミングコントローラ２は、デジタル信号である１走査ライン分の階調データＤＡＴＡと、複数のソースドライバ３−１、３−２、３−３、…、３−Ｎを同期させるためのクロック信号ＣＬＫと、シフト開始信号ＳＴＨとをソースドライバ３０に出力する。階調データＤＡＴＡは、複数の領域４−１、４−２、４−３、…、４−Ｎの各々の複数の画素の階調レベルを指定する。ソースドライバ３０は、シフト開始信号ＳＴＨとクロック信号ＣＬＫとに従って、階調データＤＡＴＡをそれぞれ複数のデータ線に出力する。このとき、複数のゲート線のうちの１つのゲート線と複数のデータ線とに対応する画素１１のＴＦＴ１２はオンしている。このため、上記画素１１の画素容量１５には、それぞれ、階調データＤＡＴＡが書き込まれ、次の書き込みまで保持される。これにより、階調データＤＡＴＡが表示される。
【００３９】
図２は、複数のソースドライバ３−１、３−２、３−３、…、３−Ｎの各々の構成を示している。複数のソースドライバ３−１、３−２、３−３、…、３−Ｎは、信号制御部３０と、ドライバ部３７と、信号転送部３８とを具備している。
【００４０】
信号制御部３０は、シフトレジスタ３１と、データレジスタ３２と、データラッチ回路３３と、レベルシフタ３４と、デジタル／アナログ（Ｄ／Ａ）コンバータ３５と、階調電圧生成回路３６とを具備している。
【００４１】
階調電圧生成回路３６は、直列接続された階調抵抗素子を備えている。この階調電圧生成回路３６は、電源回路（図示しない）からの基準電圧を階調抵抗素子により分圧し、複数の階調電圧を生成する。
【００４２】
シフトレジスタ３１は、シフト開始信号ＳＴＨをクロック信号ＣＬＫに同期させて順にシフトさせ、データレジスタ３２に出力する。データレジスタ３２は、タイミングコントローラ２からの階調データＤＡＴＡを、シフトレジスタ３１からのシフト開始信号ＳＴＨに同期して取り込み、データラッチ回路３３に出力する。
【００４３】
データラッチ回路３３は、階調データＤＡＴＡをそれぞれ同タイミングでラッチし、レベルシフタ３４に出力する。
【００４４】
レベルシフタ３４は、データラッチ回路３３からの階調データＤＡＴＡに対してレベル変換を行い、Ｄ／Ａコンバータ３５に出力する。
【００４５】
Ｄ／Ａコンバータ回路３５は、レベルシフタ３４からの階調データＤＡＴＡに対してＤ／Ａ変換を行い、アナログ信号である１走査ライン分の出力階調電圧をドライバ部３７に出力する。即ち、Ｄ／Ａコンバータ回路３５は、階調電圧生成回路３６に生成された階調電圧の中から、階調データＤＡＴＡに応じた出力階調電圧を選択して、ドライバ部３７が出力するデータ信号として決定する。Ｄ／Ａコンバータ回路３５は、このデータ信号をドライバ部３７に出力する。
【００４６】
ドライバ部３７は、複数の出力アンプ部を備えている。複数の出力アンプ部の出力は、それぞれ複数のデータ線に接続されている。ドライバ部３７は、極性信号ＰＯＬが指定する極性パタンによりデータ信号を複数のデータ線に供給する。
【００４７】
そこで、信号転送部３８は、シフト開始信号ＳＴＨと極性信号ＰＯＬとを次のソースドライバに転送する。これにより、本発明の実施形態による液晶表示装置では、コントローラ１からシフト開始信号ＳＴＨ、極性信号ＰＯＬを転送する場合に比べて信号線を削減できる。
【００４８】
本発明の実施形態による液晶表示装置では、仕様により、ソースドライバ３−１、３−２、３−３、…、３−Ｎ毎に出力数が異なる。
【００４９】
これを実現するために、ソースドライバ３−１、３−２、３−３、…、３−Ｎの各々のドライバ部３７、信号転送部３８に対して、モード切替信号ＤＯＴＣ、ＯＳＥＬを予め与えておく。モード切替信号ＤＯＴＣ、ＯＳＥＬの極性は、後述の仕様毎に電源等を用いて固定されている。
【００５０】
まず、仕様について説明する。
【００５１】
仕様としては、前述のように、１ラインにおいて１画素毎にデータ信号の極性を反転する水平１ドット反転駆動と、１ラインにおいてｎ画素毎（ｎは２以上の整数）にデータ信号の極性を反転する水平ｎドット反転駆動とが挙げられる。水平ｎドット反転駆動は、出力数がデータ信号の極性の規則性を乱さない第１の水平ｎドット反転駆動と、出力数がデータ信号の極性の規則性を乱す第２の水平ｎドット反転駆動とに分けられる。
【００５２】
次に、モード切替信号ＤＯＴＣ、ＯＳＥＬについて説明する。
【００５３】
モード切替信号ＤＯＴＣ、ＯＳＥＬは、反転モード切替信号ＤＯＴＣと、出力数モード切替信号ＯＳＥＬとを含んでいる。
【００５４】
反転モード切替信号ＤＯＴＣは、その極性がＬｏｗレベル“Ｌ”である場合、駆動方式として水平１ドット反転駆動を指定し、その極性がＨｉｇｈレベル“Ｈ”である場合、駆動方式として水平ｎドット反転駆動（ｎは２以上の整数）を指定している。
【００５５】
出力数モード切替信号ＯＳＥＬは、水平ｎドット反転駆動において、その極性がＬｏｗレベル“Ｌ”である場合、出力数がデータ信号の極性の規則性を乱さない数であることを表し、その極性がＨｉｇｈレベル“Ｈ”である場合、出力数がデータ信号の極性の規則性を乱す数であることを表している。
【００５６】
即ち、モード切替信号ＤＯＴＣ、ＯＳＥＬは、その極性がそれぞれ“Ｌ”、“Ｌ”である場合、水平１ドット反転駆動を指定し、その極性がそれぞれ“Ｈ”、“Ｌ”である場合、第１の水平ｎドット反転駆動を指定し、その極性がそれぞれ“Ｈ”、“Ｈ”である場合、第２の水平ｎドット反転駆動を指定している。
【００５７】
図３は、モード切替信号ＤＯＴＣ、ＯＳＥＬと、極性信号ＰＯＬと、水平１ドット反転駆動、第１、２の水平ｎドット反転駆動の極性レベルとの関係を示している。
【００５８】
ｎが２である場合、ＲＧＢ×２、水平１ドット反転駆動を考慮した場合、偶数出力が適している。更に、水平２ドット反転駆動では４出力単位の出力極性の連続性もあるため、これも考慮する。この場合、第１の水平ｎドット反転駆動における出力数は、データ信号の極性の規則性を乱さない数として、１２で割り切れる数であり、第２の水平ｎドット反転駆動における出力数は、データ信号の極性の規則性を乱す数として、１２で割り切れず、６で割り切れる数であるものとする。
【００５９】
以下、ｎが２であるものとする。
【００６０】
モード切替信号ＤＯＴＣ、ＯＳＥＬは、その極性がそれぞれ“Ｌ”、“Ｌ”である場合、水平１ドット反転駆動を指定する。この場合、極性信号ＰＯＬの極性がＬｏｗレベル“Ｌ”であるとき、水平１ドット反転駆動における極性パタンは“−、＋、−、＋、−、＋、−、＋、−、＋、−、＋”であり、極性信号ＰＯＬの極性がＨｉｇｈレベル“Ｈ”であるとき、水平１ドット反転駆動における極性パタンは、上記の極性パタンを反転した“＋、−、＋、−、＋、−、＋、−、＋、−、＋、−”である。
【００６１】
モード切替信号ＤＯＴＣ、ＯＳＥＬは、その極性がそれぞれ“Ｈ”、“Ｌ”である場合、第１の水平２ドット反転駆動を指定する。この場合、極性信号ＰＯＬの極性がＬｏｗレベル“Ｌ”であるとき、第１の水平２ドット反転駆動における極性パタンは“−、＋、＋、−、−、＋、＋、−、−、＋、＋、−”であり、極性信号ＰＯＬの極性がＨｉｇｈレベル“Ｈ”であるとき、第１の水平２ドット反転駆動における極性パタンは、上記の極性パタンを反転した“＋、−、−、＋、＋、−、−、＋、＋、−、−、＋”である。
【００６２】
モード切替信号ＤＯＴＣ、ＯＳＥＬは、その極性がそれぞれ“Ｈ”、“Ｈ”である場合、第２の水平２ドット反転駆動を指定する。この場合、極性信号ＰＯＬの極性がＬｏｗレベル“Ｌ”であるとき、第２の水平２ドット反転駆動における極性パタンは“−、＋、＋、−、−、＋”であり、極性信号ＰＯＬの極性がＨｉｇｈレベル“Ｈ”であるとき、第２の水平２ドット反転駆動における極性パタンは、上記の極性パタンを反転した“＋、−、−、＋、＋、−”である。
【００６３】
これにより、ドライバ部３７は、モード切替信号ＤＯＴＣ、ＯＳＥＬが水平１ドット反転駆動、第１、２の水平２ドット反転駆動のいずれかを指定している場合、極性信号ＰＯＬが指定する水平１ドット反転駆動、第１、２の水平２ドット反転駆動のいずれかにおける極性パタンによりデータ信号を複数のデータ線に供給する。
【００６４】
ここで、極性信号ＰＯＬの極性がＬｏｗレベル“Ｌ”であるときに、表示パネル１０の第１領域４−１と第２領域４−２との境界部分において、第１の水平２ドット反転駆動により第１領域４−１の最後のデータ線に供給されるデータ信号の極性“＋”と、水平１ドット反転駆動、第１の水平２ドット反転駆動により第２領域４−２の最初のデータ線に供給されるデータ信号の極性“＋”とが同じになる。例えば、図４に示されるように、第１の水平２ドット反転駆動により第１領域４−１の最後のデータ線に供給されるデータ信号の極性“＋”と、第１の水平２ドット反転駆動により第２領域４−２の最初のデータ線に供給されるデータ信号の極性“＋”とが同じになる。この場合、第１の水平２ドット反転駆動の後に、水平１ドット反転駆動、第１の水平２ドット反転駆動が実行されても、データ信号の極性の規則性を乱さない。
【００６５】
しかし、極性信号ＰＯＬの極性がＬｏｗレベル“Ｌ”であるときに、表示パネル１０の第１領域４−１と第２領域４−２との境界部分において、第２の水平２ドット反転駆動により第１領域４−１の最後のデータ線に供給されるデータ信号の極性“＋”と、第１、２の水平２ドット反転駆動により第２領域４−２の最初のデータ線に供給されるデータ信号の極性“−”とが異なる。例えば、図５に示されるように、第２の水平２ドット反転駆動により第１領域４−１の最後のデータ線に供給されるデータ信号の極性“＋”と、第２の水平２ドット反転駆動により第２領域４−２の最初のデータ線に供給されるデータ信号の極性“−”とが異なる。この場合、第２の水平２ドット反転駆動の後に、第１、２の水平２ドット反転駆動が実行されたときに、データ信号の極性の規則性を乱してしまう。
【００６６】
そこで、本発明では、信号転送部３８は、ドライバ部３７が水平１ドット反転駆動、第１の水平２ドット反転駆動を実行する場合、極性信号ＰＯＬの極性を変えずに次のソースドライバに転送し、ドライバ部３７が第２の水平２ドット反転駆動を実行する場合、極性信号ＰＯＬの極性を反転させて次のソースドライバに転送する。
【００６７】
これを実現するために、信号転送部３８は、図６に示されるような反転回路４０を備えている。例えば、反転回路４０は、ＡＮＤ回路４１と、ＸＯＲ回路４２とを備えている。ＡＮＤ回路４１の入力には、反転モード切替信号ＤＯＴＣ、出力数モード切替信号ＯＳＥＬが与えられ、ＸＯＲ回路４２の入力には、ＡＮＤ回路４１の出力と極性信号ＰＯＬとが供給される。ＸＯＲ回路４２の出力は次のソースドライバの信号転送部３８の反転回路４０に接続されている。
【００６８】
図７は、本発明の実施形態による液晶表示装置の動作の概念を示す図である。
【００６９】
コントローラ１は、シフト開始信号ＳＴＨと、その極性により水平１ドット反転駆動、第１、２の水平２ドット反転駆動におけるデータ信号の極性パタンを１ライン毎に指定する極性信号ＰＯＬとを複数のソースドライバ３−１、３−２、３−３、…、３−Ｎのうちの第１ソースドライバ３−１に供給する。
【００７０】
第１ソースドライバ３−１の信号制御部３０は、コントローラ１からのシフト開始信号ＳＴＨに応じて、コントローラ１からの階調データＤＡＴＡを第１階調データとして取り込み、複数の階調電圧の中から、第１階調データに対応する出力階調電圧を自己が出力するデータ信号として決定する。
【００７１】
ここで、モード切替信号ＤＯＴＣ、ＯＳＥＬが水平１ドット反転駆動“Ｌ、Ｌ”を指定しているものとする。
【００７２】
この場合、第１ソースドライバ３−１のドライバ部３７は、コントローラ１からの極性信号ＰＯＬ“Ｌ”又は“Ｈ”が指定する水平１ドット反転駆動における極性パタン“−、＋、−、＋、−、＋、−、＋、−、＋、−、＋”又は“＋、−、＋、−、＋、−、＋、−、＋、−、＋、−”によりデータ信号を複数の領域４−１、４−２、４−３、…、４−Ｎのうちの第１領域４−１の複数のデータ線に供給する。
【００７３】
このとき、第１ソースドライバ３−１の信号転送部３８は、シフト開始信号ＳＴＨと極性信号ＰＯＬとを複数のソースドライバ３−１、３−２、３−３、…、３−Ｎのうちの第１ソースドライバ３−１に隣接する第２ソースドライバ３−２に供給する。
【００７４】
ここで、モード切替信号ＤＯＴＣ、ＯＳＥＬが第１の水平２ドット反転駆動“Ｈ、Ｌ”を指定しているものとする。
【００７５】
この場合、第１ソースドライバ３−１のドライバ部３７は、コントローラ１からの極性信号ＰＯＬ“Ｌ”又は“Ｈ”が指定する第１の水平２ドット反転駆動における極性パタン“−、＋、＋、−、−、＋、＋、−、−、＋、＋、−”又は“＋、−、−、＋、＋、−、−、＋、＋、−、−、＋”によりデータ信号を第１領域４−１の複数のデータ線に供給する。
【００７６】
このとき、第１ソースドライバ３−１の信号転送部３８は、シフト開始信号ＳＴＨと極性信号ＰＯＬとを第２ソースドライバ３−２に供給する。
【００７７】
ここで、モード切替信号ＤＯＴＣ、ＯＳＥＬが第２の水平２ドット反転駆動“Ｈ、H”を指定しているものとする。
【００７８】
この場合、第１ソースドライバ３−１のドライバ部３７は、コントローラ１からの極性信号ＰＯＬ“Ｌ”又は“Ｈ”が指定する第２の水平２ドット反転駆動における極性パタン“−、＋、＋、−、−、＋”又は“＋、−、−、＋、＋、−”によりデータ信号を第１領域４−１の複数のデータ線に供給する。
【００７９】
このとき、第１ソースドライバ３−１の信号転送部３８は、極性信号ＰＯＬ“Ｌ”又は“Ｈ”の極性を反転させて、シフト開始信号ＳＴＨと極性信号ＰＯＬとを第２ソースドライバ３−２に供給する。
【００８０】
第２ソースドライバ３−２の信号制御部３０は、第１ソースドライバ３−１からのシフト開始信号ＳＴＨに応じて、コントローラ１からの階調データＤＡＴＡを第２階調データとして取り込み、複数の階調電圧の中から、第２階調データに対応する出力階調電圧を自己が出力するデータ信号として決定する。
【００８１】
ここで、モード切替信号ＤＯＴＣ、ＯＳＥＬが水平１ドット反転駆動“Ｌ、Ｌ”を指定しているものとする。
【００８２】
この場合、第２ソースドライバ３−２のドライバ部３７は、第１ソースドライバ３−１からの極性信号ＰＯＬ“Ｌ”又は“Ｈ”が指定する水平１ドット反転駆動における極性パタン“−、＋、−、＋、−、＋、−、＋、−、＋、−、＋”又は“＋、−、＋、−、＋、−、＋、−、＋、−、＋、−”によりデータ信号を複数の領域４−１、４−２、４−３、…、４−Ｎのうちの第１領域４−１に隣接する第２領域４−２の複数のデータ線に供給する。
【００８３】
このとき、第２ソースドライバ３−２の信号転送部３８は、シフト開始信号ＳＴＨと極性信号ＰＯＬとを複数のソースドライバ３−１、３−２、３−３、…、３−Ｎのうちの第１ソースドライバ３−１と反対の側で第２ソースドライバ３−２に隣接する第３ソースドライバ３−３に供給する。
【００８４】
ここで、モード切替信号ＤＯＴＣ、ＯＳＥＬが第１の水平２ドット反転駆動“Ｈ、Ｌ”を指定しているものとする。
【００８５】
この場合、第２ソースドライバ３−２のドライバ部３７は、第１ソースドライバ３−１からの極性信号ＰＯＬ“Ｌ”又は“Ｈ”が指定する第１の水平２ドット反転駆動における極性パタン“−、＋、＋、−、−、＋、＋、−、−、＋、＋、−”又は“＋、−、−、＋、＋、−、−、＋、＋、−、−、＋”によりデータ信号を第２領域４−２の複数のデータ線に供給する。
【００８６】
このとき、第２ソースドライバ３−２の信号転送部３８は、シフト開始信号ＳＴＨと極性信号ＰＯＬとを第３ソースドライバ３−３に供給する。
【００８７】
ここで、モード切替信号ＤＯＴＣ、ＯＳＥＬが第２の水平２ドット反転駆動“H、H”を指定しているものとする。
【００８８】
この場合、第２ソースドライバ３−２のドライバ部３７は、第１ソースドライバ３−１からの極性信号ＰＯＬ“Ｌ”又は“Ｈ”が指定する第２の水平２ドット反転駆動における極性パタン“−、＋、＋、−、−、＋”又は“＋、−、−、＋、＋、−”によりデータ信号を第２領域４−２の複数のデータ線に供給する。
【００８９】
このとき、第２ソースドライバ３−２の信号転送部３８は、極性信号ＰＯＬ“Ｌ”又は“Ｈ”の極性を反転させて、シフト開始信号ＳＴＨと極性信号ＰＯＬとを第３ソースドライバ３−３に供給する。
【００９０】
以上の説明により、本発明の実施形態による液晶表示装置では、仕様により、水平１ドット反転駆動を表すモード切替信号ＤＯＴＣ“Ｌ”、ＯＳＥＬ“Ｌ”がソースドライバ３−Ｊ（Ｊは、１、２、…、（Ｎ−１））に与えられている場合、ソースドライバ３−Ｊは、シフト開始信号ＳＴＨと極性信号ＰＯＬとに応じて水平１ドット反転駆動を実行し、シフト開始信号ＳＴＨと極性信号ＰＯＬとを次のソースドライバ３−（Ｊ＋１）に供給する。仕様により、第１の水平ｎドット反転駆動を表すモード切替信号ＤＯＴＣ“Ｈ”、ＯＳＥＬ“Ｌ”がソースドライバ３−Ｊに与えられている場合、ソースドライバ３−Ｊは、シフト開始信号ＳＴＨと極性信号ＰＯＬとに応じて第１の水平ｎドット反転駆動を実行し、シフト開始信号ＳＴＨと極性信号ＰＯＬとを次のソースドライバ３−（Ｊ＋１）に供給する。仕様により、第２の水平ｎドット反転駆動を表すモード切替信号ＤＯＴＣ“Ｈ”、ＯＳＥＬ“Ｈ”がソースドライバ３−Ｊに与えられている場合、ソースドライバ３−Ｊは、シフト開始信号ＳＴＨと極性信号ＰＯＬとに応じて第２の水平ｎドット反転駆動を実行し、極性信号ＰＯＬの極性を反転させて、シフト開始信号ＳＴＨと極性信号ＰＯＬとを次のソースドライバ３−（Ｊ＋１）に供給する。
【００９１】
このように、本発明の実施形態による液晶表示装置では、第１の効果として、仕様に応じて、複数のソースドライバ３−１、３−２、３−３、…、３−Ｎの各々に対して、モード切替信号ＤＯＴＣ、ＯＳＥＬを与えておくことにより、水平１ドット反転駆動、第１、２の水平ｎドット反転駆動のいずれかを実行可能である。
【００９２】
また、本発明の実施形態による液晶表示装置では、ソースドライバ３−Ｊは、第２の水平ｎドット反転駆動を実行する場合、極性信号ＰＯＬ“Ｌ”又は“Ｈ”が指定する極性パタン（ｎが２である場合、“−、＋、＋、−、−、＋”又は“＋、−、−、＋、＋、−”）によりデータ信号を領域４−Ｊに供給し、極性信号ＰＯＬの極性を反転させて、シフト開始信号ＳＴＨと極性信号ＰＯＬとを次のソースドライバ３−（Ｊ＋１）に供給する。ここで、ソースドライバ３−（Ｊ＋１）は、水平１ドット反転駆動を実行する場合、極性信号ＰＯＬ“Ｈ”又は“Ｌ”が指定する極性パタン（“＋、−、＋、−、＋、−、＋、−、＋、−、＋、−”又は“−、＋、−、＋、−、＋、−、＋、−、＋、−、＋”）によりデータ信号を領域４−（Ｊ＋１）に供給し、シフト開始信号ＳＴＨと極性信号ＰＯＬとを次のソースドライバに供給する。ソースドライバ３−（Ｊ＋１）は、第１の水平ｎドット反転駆動を実行する場合、極性信号ＰＯＬ“Ｈ”又は“Ｌ”が指定する極性パタン（ｎが２である場合、“＋、−、＋、−、＋、−、＋、−、＋、−、＋、−”又は“−、＋、−、＋、−、＋、−、＋、−、＋、−、＋”）によりデータ信号を領域４−（Ｊ＋１）に供給し、シフト開始信号ＳＴＨと極性信号ＰＯＬとを次のソースドライバに供給する。ソースドライバ３−（Ｊ＋１）は、第２の水平ｎドット反転駆動を実行する場合、極性信号ＰＯＬ“Ｈ”又は“Ｌ”が指定する極性パタン（ｎが２である場合、“＋、−、−、＋、＋、−”又は“−、＋、＋、−、−、＋”）によりデータ信号を領域４−（Ｊ＋１）に供給し、極性信号ＰＯＬの極性を反転させて、シフト開始信号ＳＴＨと極性信号ＰＯＬとを次のソースドライバに供給する。
【００９３】
このように、本発明の実施形態による液晶表示装置では、第２の効果として、ソースドライバ３−Ｊは、第２の水平ｎドット反転駆動を実行したときに、極性信号ＰＯＬの極性を反転させて、次のソースドライバ３−（Ｊ＋１）に転送することにより、表示パネル１０の領域４−Ｊと領域４−（Ｊ＋１）との境界部分において、第２の水平ｎドット反転駆動により領域４−Ｊの最後のデータ線に供給されるデータ信号の極性“＋”又は“−”と、水平１ドット反転駆動、第１、２の水平ｎドット反転駆動により領域４−（Ｊ＋１）の最初のデータ線に供給されるデータ信号の極性“＋”又は“−”とが同じになる。このため、データ信号の極性の規則性の乱れを解消することができる。
【００９４】
また、本発明の実施形態による液晶表示装置では、ソースドライバ３−Ｊは、シフト開始信号ＳＴＨと極性信号ＰＯＬとを次のソースドライバ３−（Ｊ＋１）に転送することにより、コントローラ１からシフト開始信号ＳＴＨ、極性信号ＰＯＬを転送する場合に比べて信号線を削減できる。
【００９５】
本発明の実施形態による液晶表示装置では、第１、２の効果により、ソースドライバ３−１、３−２、３−３、…、３−Ｎ毎に出力数が異なる場合でも対応可能であり、且つ、データ信号の極性の規則性の乱れを解消することができる。
【符号の説明】
【００９６】
１    コントローラ、
２    ゲートドライバ、
３−１、３−２、３−３、…、３−Ｎ    ソースドライバ、
４−１、４−２、４−３、…、４−Ｎ    領域、
１０    表示パネル、
１１    画素、
１２    ＴＦＴ（Ｔｈｉｎ  Ｆｉｌｍ  Ｔｒａｎｓｉｓｔｏｒ；薄膜トンジスタ）、
１３    ドレイン電極、
１４    ソース電極、
１５    画素容量、
１６    ゲート電極、
３０    信号制御部、
３１    シフトレジスタ、
３２    データレジスタ、
３３    データラッチ回路、
３４    レベルシフタ、
３５    デジタル／アナログ（Ｄ／Ａ）コンバータ回路、
３６    階調電圧生成回路、
３７    ドライバ部、
３８    信号転送部、
４０    反転回路、
４１    ＡＮＤ回路、
４２    ＸＯＲ回路、
ＣＬＫ    クロック信号、
ＤＡＴＡ    階調データ、
ＤＯＴＣ    反転モード切替信号、
ＯＳＥＬ    出力数モード切替信号、
ＰＯＬ    極性信号、
ＳＴＨ    シフト開始信号、
ＳＴＶ    垂直シフト開始信号、
ＶＣＫ    垂直クロック信号
【図１】
2011209461.tif 000003
【図２】
2011209461.tif 000004
【図３】
2011209461.tif 000005
【図４】
2011209461.tif 000006
【図５】
2011209461.tif 000007
【図６】
2011209461.tif 000008
【図７】
2011209461.tif 000009